【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
内部に熱交換器および送風機を収容する室内機本体と、この室内機本体の前面を覆う前面パネルと、上記熱交換器と対向する部位に吸込み口を備えた空気調和機の室内機において、
上記室内機本体の熱交換器の吸込み側に対向して、左右両側部の縦枠と、この両側部の間に架設される横枠による枠体が設けられ、その間に開口部を形成する枠体組立を具備し、
この枠体組立にエアフィルタを移動自在に配置するとともに、エアフィルタに付着した塵埃を除去する塵埃除去手段および、除去された塵埃を回収する塵埃受け部を備えたエアフィルタ清掃ユニットを取付け、
上記エアフィルタを、上記エアフィルタ清掃ユニットに対して往復移動させるように構成したことを特徴とする空気調和機の室内機。
【請求項２】
内部に熱交換器および送風機を収容する室内機本体と、この室内機本体の前面を覆う前面パネルと、上記熱交換器と対向する部位に吸込み口を備えた空気調和機の室内機において、
上記吸込み口に対向して形成され、かつ移動自在に配置されるエアフィルタと、
上記室内機本体の幅方向に亘って設けられ、移動する上記エアフィルタに付着した塵埃を除去する塵埃除去手段および、除去された塵埃を回収する塵埃受け部を備えたエアフィルタ清掃ユニットと、
上記熱交換器の前面から上面に亘って取付けられ、左右両側部と上下端部および中央部に枠体が設けられ、その間の開口部を吸込み口に対向させた枠体組立とを具備し、
上記枠体組立の吸込み口との対向部位に、幅方向全長に亘って上記エアフィルタ清掃ユニットを設置し、
この枠体組立に上記エアフィルタを移動自在に配置するとともに、エアフィルタをエアフィルタ清掃ユニットに対して往復移動させるように構成したことを特徴とする空気調和機の室内機。
【請求項３】
上記枠体組立は、
前面部に、空気清浄ユニットを収納する空気清浄ユニット収納部を備えることを特徴とする請求項１および請求項２のいずれかに記載の空気調和機の室内機。
【請求項４】
上記エアフィルタ清掃ユニットは、上記塵埃除去手段および塵埃受け部が設けられるダストボックスを備え、
このダストボックスは、上記前面パネルを開放することにより、枠体組立から前方への引出しが可能であることを特徴とする請求項１および請求項２のいずれかに記載の空気調和機の室内機。
【請求項５】
上記エアフィルタ清掃ユニットは、
上記塵埃除去手段を収容するとともに、この塵埃除去手段をエアフィルタの移動部分に対して露出させる開口部が設けられ、上記塵埃除去手段に隣接して上記塵埃受け部を備えたダストボックスと、
上記エアフィルタに対する塵埃除去運転の終了後に、上記ダストボックスの開口部を閉塞するシール部材とを備え、
上記枠体組立に、上下方向に移動可能にシール部材を設置するとともに、このシール部材の上部に上記ダストボックスを配設し、
上記エアフィルタを往復移動させるエアフィルタ移動機構を設け、
上記枠体組立の側面部に、エアフィルタ移動機構を駆動する駆動部を取付けたことを特徴とする請求項１および請求項２のいずれかに記載の空気調和機の室内機。
【請求項６】
内部に熱交換器および送風機を収容する室内機本体と、この室内機本体の前面を覆う前面パネルと、上記熱交換器の前面部および上面部と対向する部位にそれぞれ前面吸込み口と上面吸込み口を備えた空気調和機の室内機において、
前面吸込み口および上面部吸込み口にそれぞれ対向して分割形成され、かつ移動自在に設置される前部エアフィルタおよび上部エアフィルタと、
上記前面吸込み口と上面吸込み口との間に幅方向に亘って配置され、各エアフィルタの移動にともなって、各エアフィルタに付着した塵埃を除去する塵埃除去手段、下面に形成され塵埃除去手段をエアフィルタの移動部分に対して露出させる開口部、塵埃除去手段に隣接して設けられ塵埃を回収する塵埃受け部を備えたダストボックスおよび、各エアフィルタに対する塵埃除去運転の終了後に、ダストボックスの開口部を閉塞するシール部材を備えたエアフィルタ清掃ユニットと、
上記前部エアフィルタおよび上部エアフィルタをそれぞれエアフィルタ清掃ユニットに対し往復移動させるエアフィルタ移動機構と、
上記室内機本体の一側部に配置され、上記ダストボックスの塵埃受け部に収集される塵埃を吸引して屋外へ排出する吸排気装置と、
上記熱交換器の前面から上面に亘って取付けられ、左右両側部と上下端部および中央部に枠を形成し、その間の開口部を前面吸込み口と上面吸込み口に対向させた枠体組立とを具備し、
上記枠体組立の中央部に、幅方向に亘ってエアフィルタ清掃ユニットのシール部材を上下動自在に配置し、このシール部材上部にダストボックスを着脱自在に配置するとともに、ダストボックスの塵埃受け部と上記吸排気装置とを枠体組立を介して連結したことを特徴とする空気調和機の室内機。
【手続補正２】
【補正対象書類名】明細書
【補正対象項目名】０００７
【補正方法】変更
【補正の内容】
【０００７】
上記目的を満足するため本発明の空気調和機の室内機は、内部に熱交換器および送風機を収容する室内機本体の前面を覆う前面パネルと、熱交換器と対向する部位に吸込み口を備え、熱交換器の吸込側に対向して、左右両側部の縦枠とこの両側部の間に架設される横枠による枠体が設けられ、その間に開口部を形成する枠体組立を具備し、この枠体組立にエアフィルタを移動自在に配置するとともに、エアフィルタに付着した塵埃を除去する塵埃除去手段および、除去された塵埃を回収する塵埃受け部を備えたエアフィルタ清掃ユニットを取付け、エアフィルタをエアフィルタ清掃ユニットに対して往復移動させるように構成したことを特徴とする。
【手続補正３】
【補正対象書類名】明細書
【補正対象項目名】０００８
【補正方法】変更
【補正の内容】
【０００８】
さらに、本発明の空気調和機の室内機は、内部に熱交換器および送風機を収容する室内機本体と、この室内機本体の前面を覆う前面パネルと、熱交換器と対向する部位に吸込み口を備え、吸込み口に対向して形成され移動自在に配置されるエアフィルタと、室内機本体の幅方向に亘って設けられ移動するエアフィルタに付着した塵埃を除去する塵埃除去手段および除去された塵埃を回収する塵埃受け部を備えたエアフィルタ清掃ユニットと、熱交換器の前面から上面に亘って取付けられ左右両側部と上下端部および中央部に枠体が設けられ、その間の開口部を吸込み口に対向させた枠体組立とを具備し、枠体組立の吸込み口との対向部位に幅方向全長に亘ってエアフィルタ清掃ユニットを設置し、枠体組立にエアフィルタを移動自在に配置するとともに、エアフィルタをエアフィルタ清掃ユニットに対して往復移動させるように構成したことを特徴とする。
【手続補正４】
【補正対象書類名】明細書
【補正対象項目名】０００９
【補正方法】変更
【補正の内容】
【０００９】
さらに、本発明の空気調和機の室内機は、内部に熱交換器および送風機を収容する室内機本体と、この室内機本体の前面を覆う前面パネルと、熱交換器の前面部および上面部と対向する部位にそれぞれ前面吸込み口と上面吸込み口を備え、前面吸込み口および上面部吸込み口にそれぞれ対向して分割形成され移動自在に設置される前部エアフィルタおよび上部エアフィルタと、前面吸込み口と上面吸込み口との間に幅方向に亘って配置され各エアフィルタの移動にともなって各エアフィルタに付着した塵埃を除去する塵埃除去手段、下面に形成され塵埃除去手段をエアフィルタの移動部分に対して露出させる開口部、塵埃除去手段に隣接して設けられ塵埃を回収する塵埃受け部を備えたダストボックスおよび、各エアフィルタに対する塵埃除去運転の終了後に、ダストボックスの開口部を閉塞するシール部材を備えたエアフィルタ清掃ユニットと、前部エアフィルタおよび上部エアフィルタをそれぞれエアフィルタ清掃ユニットに対し往復移動させるエアフィルタ移動機構と、室内機本体の一側部に配置されダストボックスの塵埃受け部に収集される塵埃を吸引して屋外へ排出する吸排気装置と、熱交換器の前面から上面に亘って取付けられ左右両側部と上下端部および中央部に枠を形成し、その間の開口部を前面吸込み口と上面吸込み口に対向させた枠体組立とを具備し、枠体組立の中央部に幅方向に亘ってエアフィルタ清掃ユニットのシール部材を上下動自在に配置し、このシール部材上部にダストボックスを着脱自在に配置するとともに、ダストボックスの塵埃受け部と吸排気装置とを枠体組立を介して連結したことを特徴とする。
【手続補正５】
【補正対象書類名】明細書
【補正対象項目名】００１０
【補正方法】変更
【補正の内容】
【００１０】
本発明によれば、枠体組立を備えることにより、それぞれのエアフィルタを所定の位置に正確に設置でき、製品によるばらつきの発生をなくし、エアフィルタに対するエアフィルタ清掃ユニットの動作を常に正確に行える。  
さらに、枠体組立に空気清浄ユニットを取付けるため、空気調和機自体の製造性が向上する。前部エアフィルタは空気清浄ユニットとの当接面が、エアフィルタの押えと、エアフィルタ移動時のガイドの役割をなす。  
さらに、枠体組立に、エアフィルタ清掃ユニットを構成するダストボックスを取付けるスペースを備え、前面パネルの開放時に前方から引出し可能としたことで、ダストボックスの配置と清掃点検が容易に行える。  
さらに、枠体組立に、エアフィルタ清掃ユニットと、エアフィルタ移動機構を駆動する駆動部を備えたので、スペース的な問題がなく、動力伝達が確実になる。  
さらに、枠体組立にダストボックスを装着するだけで、ダストボックス内の塵挨受け部と吸排気装置の連結ができ、塵埃を確実に屋外へ排出できる。
【手続補正６】
【補正対象書類名】明細書
【補正対象項目名】００４３
【補正方法】変更
【補正の内容】
【００４３】
図１０（Ａ）に示す（図３にも示している）ように、上記駆動部２５は、４個の駆動源である第１〜第４の駆動モータ４６〜４９と、これら駆動モータ４６〜４９を側面部に取付け、内部に後述するギヤ列を収容するケーシング５１を備えたギヤ組立Ｇとから構成される。  
図５および図６に示す、上記第１の駆動モータ４６と第２の駆動モータ４７は、後述するようにして前部エアフィルタ１７を移動する前部移動機構５２と上部エアフィルタ２０を移動する上部移動機構５３の、それぞれに対する駆動源であり、これら前部移動機構５２と上部移動機構５３で上記エアフィルタ移動機構５５が構成される。
【手続補正７】
【補正対象書類名】明細書
【補正対象項目名】００４４
【補正方法】変更
【補正の内容】
【００４４】
上記エアフィルタ移動機構５５において、前、上部移動機構５２，５３を駆動するのに必要なトルクを確保するには、本来、大型の駆動モータを１個用意すれば足りるが、大型モータを枠体組立に取付けると、大径寸法であるので電気部品箱９および前面パネル２と干渉してしまう。そこで、必要トルクの半分のトルクを備えた２個の小型駆動モータ４６，４７を用意して、取付けスペース上の不具合を解消している。
【手続補正８】
【補正対象書類名】明細書
【補正対象項目名】００４６
【補正方法】変更
【補正の内容】
【００４６】
図１１は、駆動部２５の一部を省略した斜視図である。  
上記第３の駆動モータ４８のみ示し、他の駆動モータは省略しているとともに、ギヤ組立Ｇを構成するケーシング５１の側面部を外してギヤ列の一部を示している。ただし、上記第１の駆動モータ４６の支持座ｋと、上記第２の駆動モータ４７の支持座ｍが近接した位置に設けられることと、上記第４の駆動モータ４９の支持座ｎがケーシング５１の下端部に設けられることを示している。
【手続補正９】
【補正対象書類名】明細書
【補正対象項目名】００５１
【補正方法】変更
【補正の内容】
【００５１】
このように、第１、第２の駆動モータ４６，４７からギヤ列Ｇの組合せで、前部移動機構５２と上部移動機構５３とからなる上記エアフィルタ移動機構５５が構成される。  
一方、ここでは図示しない上記第４の駆動モータ４９の回転軸はケーシング５１を介して内部に突出し、この回転軸に駆動レバー６５の基端部が嵌着固定される。上記駆動レバー６５は基端部から軸方向とは直交する方向に一体に延設される舌片部６５ａを備えていて、この舌片部６５ａの先端に上記駆動アーム６４の基端部が回動自在に連結される。
【手続補正１０】
【補正対象書類名】明細書
【補正対象項目名】００６０
【補正方法】変更
【補正の内容】
【００６０】
これらギヤアーム６６、シール駆動用カム７１、シールガイド機構７４で、シール部材３４に対する上記リフト機構４５が構成される。  
つぎに、上記前部移動機構５２および上部移動機構５３について説明する。  
再び図５および図６に示すように、上記ダストボックス３２の開口部３３を開閉するシール部材３４の両側部に沿って一対の支軸７５ａ，７５ｂが設けられる。それぞれの支軸７５ａ，７５ｂの一端部（右側端部）には、先に図１２で説明したように、上記ギヤ列を構成する前部用ギヤＦｆもしくは上部用ギヤＦｕが嵌着固定される。実際には、図５、図６の左側の支軸７５ａに前部用ギヤＦｆが取付けられ、右側の支軸７５ｂに上部用ギヤＦｕが取付けられる。
【手続補正１１】
【補正対象書類名】明細書
【補正対象項目名】００６７
【補正方法】変更
【補正の内容】
【００６７】
同様に、上記上部ガイド８５は、ボックスケース３２ａの幅方向に亘って設けられ、ステンレス棒からなる上部ガイド軸８６を備えている。上部ガイド軸８６は枠体組立１６の上面側に位置し、かつ枠体組立１６を介して上部エアフィルタ駆動ギヤ７７が嵌着される支軸７５ｂと並行して設けられている。  
ここでは特に図示していないが、上部ガイド軸８６の左右両側部と中央部にも、ダストボックス３２と上部ガイド軸８６との間隔を均一に保持する間隔保持具が設けられる。この間隔保持具は、ボックスケース３２ａの角部に接離自在な突部を備え、この突部をボックスケース３２ａに当接することにより上部ガイド軸８６の位置が固定化され、かつダストボックス３２に対する上部ガイド軸８６との間隔が互いの全長に亘って均一に設定されることも同様である。
【手続補正１２】
【補正対象書類名】明細書
【補正対象項目名】００６８
【補正方法】変更
【補正の内容】
【００６８】
さらに、上部ガイド軸８６には、分割された各上部エアフィルタ２０の中央補強桟ａと対向する部位にフィルタガイド８８が取付けられる。このフィルタガイド８８は断面が変形楕円状をなし、表面は平滑な合成樹脂材から形成されていて、上記中央補強桟ａの幅寸法よりも若干大きな幅寸法を有する。  
各フィルタガイド８８の上面側で、幅方向両側部にはガイド鍔部ｔが設けられていて、これらガイド鍔部ｔ相互間に上記中央補強桟ａの幅方向を嵌め込むことが可能である。また、通常の状態でフィルタガイド８８の周面下端側一部は上部エアフィルタ２０の中央補強桟ａ上面に接触するよう組立てられる。
【手続補正１３】
【補正対象書類名】明細書
【補正対象項目名】００８６
【補正方法】変更
【補正の内容】
【００８６】
前部エアフィルタ１７が上記隙間を通過する際、中央補強桟ａが上部ガイド８５を構成するフィルタガイド８８に摺接する。具体的には、中央補強桟ａはフィルタガイド８８に設けられるガイド鍔部ｔに嵌め込まれながら摺動する。しかも、前部エアフィルタ１７は両側部を枠体組立１６に設けられるガイド部に沿って案内されているので、幅方向に傾くことなく正しい姿勢を保持して上昇移動する。
【手続補正１４】
【補正対象書類名】明細書
【補正対象項目名】０１０１
【補正方法】変更
【補正の内容】
【０１０１】
上記駆動アーム６４に支持されるギヤＤは上部用ギヤＦｕから離間して噛合関係が解消し、かつ前部用ギヤＦｆからも離間していて噛合関係となっていない。ギヤＤは上部用ギヤＦｕと前部用ギヤＦｆのちょうど中間部にあって、ギヤＣのみと噛合関係にある。そして、駆動アーム６４に連結されるギヤアーム６６は略垂直位置にあって、シール用支軸７０に設けられるシール駆動用カム７１のカム部ｑもまた略垂直位置にある。